(57)【特許請求の範囲】
【請求項１】
湾曲板と取付板とからなる棟木固定部と、
複数本の鋼管パイプをその開口部から挿入固定して立体的に交差接合するＸ字接続管と、
から構成される３層交差管接手において、
前記取付板は、正面視中央に棟木と固定具の頭部を受け入れる凹部が形成された上板の両端に下縁がテーパー状とされた脚を備えて前記Ｘ字接続管の上方に一体的に取り付けられ、前記湾曲板と係脱可能に形成されたクサビであり、
前記湾曲板は、正面視逆Ｕ字状を呈し、両側の側板の内方下端部に、下縁がテーパー状とされた脚を備えた前記取付板が側面視して左右いずれの側からでも打ち込める、中央部位が頂となる山形に形成された溝を備え、前記Ｘ字接続管に前記複数本の鋼管パイプを挿入固定してＸ字骨組みユニットを組み立てた状態において、前記棟木に沿って滑ることにより、前記Ｘ字接続管とその上方において一体化されている前記取付板と係合されて、
前記棟木と前記Ｘ字骨組みユニットとが接合されることを特徴とする３層交差管接手。
【発明の詳細な説明】
【技術分野】
【０００１】
本発明は、温室、サクランボハウス、畜舎、露地野菜用防虫ハウス等の簡易建物の骨組み、特に棟木と平面視Ｘ字状に立体交差するアーチ材とを接合するための３層構造の交差管接手の構造に関するものである。
【背景技術】
【０００２】
従来、枠組構成が簡単かつ強固にしてシート等の被覆体と枠体の自重による変形の防止と保形を完璧ならしめると共に大型化を図りうるハウスを得ることを目的として、複数のＰＣ鋼線からなる枠体を弧状に彎曲せしめて、その両外端を地中に挿し込み適宜連結して骨組構成しビニールその他のシートまたはフィルムを展張してなる農業用または園芸用ハウスにおいて、前記枠体を交互に反対方向に傾斜させて地中に挿し込み、少くとも各枠体の交叉部を斜金または金具等により固縛連結すると共に各枠体を引締部材により枠体を彎曲する方向に引締めてなる農業用または園芸用ハウスが提案されている。
【特許文献１】実開昭５３−１０６４４９号公報（図７参照）
【０００３】
他方、従来の農業用ハウスは、複数本のアーチ型彎曲材を左右の基礎台へ間隔をおいて平行状に装着し、これら複数のアーチ型彎曲材はブレース及びタイバーにより連結して枠体を組成した後、該枠体の表面を覆膜で覆って構成されていたことから、従前の枠組みにあっては同一材により梁間の増減と柱ピッチの増減ができないため、その組成に際しては農業ハウスの大きさに合わせてアーチ型彎曲材は勿論のこと、ブレースやタイバーも異なる寸法のものをいちいち用意する必要が生じ、製作費が高価となるばかりか、組立に多くの時間がかかる外、強度的にも弱くなる等の欠点が生じ、これを改善することを目的として、左右基礎台の対称位置に間隔を置いて複数設けた連結金具へ、基端側をそれぞれ装着した同一部材の彎曲材を４本宛交叉状に付き合せ、該彎曲材の付き合せ部は、枢支軸を軸として互いに回動できるよう交叉状に連結された一対の継合金具で順次連結して形成した交叉式アーチ枠を、複数組連続に隣接して組成せしめると共に前記連続に組成された交叉式アーチ枠の表面に補助部材をもって覆膜を覆った交叉式アーチ型農業用ハウスが提案されている。
【特許文献２】特開昭５７−１８１６２１号公報（図８参照）
【０００４】
前記特許文献１及び前記特許文献２に記載された発明の農業用ハウスの棟部はいずれも、棟木を具備しないものであるから、アーチ枠同士をＸ字状に接合する金具は開示されているものの、棟木とＸ字状に重なり合って交差するアーチ材とを接合する３層で立体的に交差する管を接合する器具は開示されていない。
【発明の開示】
【発明が解決しようとする課題】
【０００５】
以上の実状に鑑み、本発明は前記従来技術の欠点を克服することを課題とし、棟木と平面視Ｘ字状に立体交差するアーチ材を接合するための、新規の３層構造の棟木部接手を提供することを目的とするものである。
【課題を解決するための手段】
【０００６】
請求項１に係る発明は、湾曲板と取付板とからなる棟木固定部と、複数本の鋼管パイプをその開口部から挿入固定して立体的に交差接合するＸ字接続管と、  から構成される３層交差管接手において、前記取付板は、正面視中央に棟木５と固定具１５の頭部を受け入れる凹部が形成された上板の両端に下縁がテーパー状とされた脚を備えて前記Ｘ字接続管の上方に一体的に取り付けられ、前記湾曲板と係脱可能に形成されたクサビであり、前記湾曲板は、正面視逆Ｕ字状を呈し、両側の側板の内方下端部に、下縁がテーパー状とされた脚を備えた前記取付板が側面視して左右いずれの側からでも打ち込める、中央部位が頂となる山形に形成された溝を備え、前記Ｘ字接続管に前記複数本の鋼管パイプを挿入固定してＸ字骨組みユニットを組み立てた状態において、前記棟木に沿って滑ることにより、前記Ｘ字接続管とその上方において一体化されている前記取付板と係合されて、前記棟木と前記Ｘ字骨組みユニットとが接合されることを特徴としている。
【発明の効果】
【０００７】
本発明に係る３層交差管接手は、棟木と平面視Ｘ字状に立体交差するアーチ材を接合するための新規の３層構造の棟木部接手を提供することができる。
【実施例】
【０００８】
図１は、簡易建物の骨組み構造の実施例の斜視図、図２は、同側面図、図３は、簡易建物の骨組みの骨組みユニットを示す図である。図４は、（ａ）が本発明に係る棟木材とアーチ材を接合する３層交差管接手を示す斜視図、（ｂ）が正面図、（ｃ）が側面図である。図５は、アーチ材同士をＸ字状に接合するＸ字接手を示す図、図６は、水平の桁材と垂直からやや傾いたアーチ材を接合する十字接手を示す図である。図７，８は、従来の簡易建物の骨組み構造を示す図面である。
【０００９】
図１乃至図６を参照して、簡易建物の骨組み構造の実施例について詳細に説明する。
１は、一般構造用炭素鋼管から組成された簡易建物の骨組み構造を表わすものであり、通常この骨組みには、ビニル系、ポリオレフィン系、フッ素系等のフィルム、シート、防虫ネット等の被覆材が被覆されて、温室、サクランボハウス、畜舎、露地野菜用防虫ハウス、倉庫等の簡易な建物として利用される。
【００１０】
２は、正面視左右対称形状の湾曲部材である２本の湾曲した鋼管パイプ２ａ、２ｂを公知の接手によって接合した逆Ｕ字状の端部アーチ部材であり、簡易建物の棟方向両端部において、梁間方向に配されている。この実施例では、所定の間隔をあけて２本の端部アーチ部材２が、建物両端部にそれぞれ設置されて端部アーチ材を構成しているが、その数は１本でも、３本でもよい。
【００１１】
３は、図３に示されるように、平面視Ｘ字状に、正面視アーチ状となるように、図４に示される棟木部接手１１によって接合された骨組みユニットである。
この棟木部接手１１は、上段に棟木材５に固定される棟木固定部１２と、該棟木固定部の下方にボルト等の固定具１５にて連結され、後述する４本の鋼管パイプの一端を開口部から挿入固定して接続するＸ字接続管１６とから構成されている。
棟木固定部１２は、棟木５に固定される湾曲板１３と、Ｘ字接続管１６と固定具１５にて一体化された取付板１４とから構成されており、鋼板を折曲げ加工したものを図５（ｂ）に示される黒塗りされた部位において溶接して形成されたものである。
湾曲板１２は、正面視逆Ｕ字状を呈し、両側の側板１３１、１３１の下端部には内方及び上方へ折曲げられたＬ字部材１３３、１３３が溶接されて溝１３４が形成されている。
該溝１３４は後述するテーパー状の脚１４１を備えた取付板１４が、側面視して左右いずれの側からでも打ち込めるように、中央部位が頂となる山形に形成してある。
取付板１４は、正面視中央に棟木５と固定具１５の頭部を受け入れる凹部が形成された上板の両端に、下縁がテーパー状とされた脚１４１が溶接された、ある種のクサビである。
Ｘ字接続管１６は、２本の接続管１７、１８がＸ字状に重なって立体的に交差しており、上記取付板１４とともにボルト、ナット等の固定具１５にて一体化されている。
【００１２】
骨組みユニット３は、上述の端部アーチ材用の鋼管パイプ２ａ、２ｂと同じ高さで、正面視したときの幅がやや広く、平面視して斜めに配置したときに端部アーチ材用の鋼管パイプの形状と同じになる、正面視左右対称形状の４本の湾曲した鋼管パイプ３ａ、３ｂ、３ｃ、３ｄの先端を、上述のＸ字接続管１６に挿入固定して交差状に組み立てられている。
このとき、Ｘ字接続管１６上方には取付板１４が固定されているので、棟木５を挟持した状態で上記湾曲板１３の溝１３４に取付板１４の脚１４１を当接し、湾曲板１３を棟木５に沿って滑らせて、棟木５と骨組みユニット３とを接合する。
このようにして組み立てられた骨組みユニット３は、平面視してＸ字状を、正面視してアーチ状を呈する。
この実施例では、４本の湾曲した鋼管パイプ３ａ、３ｂ、３ｃ、３ｄにて骨組みユニット３を構成したが、この実施例に限らず、それ自体アーチ形状をした２本の湾曲部材を上記のものとは異なるＸ字接手により立体的に交差した状態に接合してもよい。
【００１３】
４は、図１に示されるように、連続的に設置されたものの一つ置きのＸ字状骨組みユニット３に取り付けられるタイバーである。このタイバーは、骨組みユニット３の平面視右側に位置する湾曲部材３ａ、３ｄを連結している。
なお、タイバー４の取り付け方については、全ての骨組みユニット３に取り付けてもよい。また、骨組みユニット３の左側、あるいは両側に取り付けることも可能である。要するに、風の強さや降雪量等の地域特性を考慮して決定すればよい。
５は、上記端部アーチ材と上記アーチ材の頂部に接合された棟木、６、７は、該両アーチ材の肩部、柱部下端部に接合された桁材、裾材である。
【００１４】
以下、上述の端部アーチ材、アーチ材、棟材、桁材、裾材の具体的な設置例について説明する。
間口６ｍ、地表面より桁材までの柱高２ｍの端部アーチ部材２ａは、簡易建物の棟方向両端に１本ずつ、その内側に０．４５〜０．５５ｍ間隔を設けてもう１本ずつ建て込まれ、柱部下端部が土中に挿入されて立設され、端部アーチ材２を構成している。
その中間には、複数単位の骨組みユニット３が連続的に０．８〜０．９ｍスパンで建て込まれているが、図１に示されるように、隣り合う骨組みユニット３、例えば図２に示される３の１と３の２の湾曲部材同士３ａと３ｃ、３ｄと３ｂは、棟木材５と桁材６との間において、Ｘ字接手２１によって重なって交差するように配設され、また、一つ置きの骨組みユニット３、例えば３の１と３の３の湾曲部材の柱部下端同士が、略近接して位置するように配設され、その下端部が土中に挿入されている。
【００１５】
図５を参照して、Ｘ字接手２１について説明する。
図５（ｂ）は、パイプ３ａ、３ｃを実装した平面図である。
Ｘ字接手２１は、短冊状の鋼板を折曲加工して形成されていて、短手方向に対して所定角度である２０°傾斜した溝状受入部２３を有している同一形状の２枚の鋼板２２、２２を、該溝状受入部２３、２３同士を対向させて重合して、図示しないボルト、蝶ナット等の固定具にて固定されている。
前記２枚の鋼板のうちの一方２２の１端部には円孔２４が、他端部には前記円孔２４を中心とする円弧に沿った長孔２６が穿設されている。
そして、前記２枚の鋼板のうちの他の鋼板２２の両端部には、前記円孔２４と前記長孔２６に対応する位置にそれぞれ円孔２５，２７が穿設されている。
円孔２７は、鋼管パイプ３ａ、３ｃが４０度の角度で交差するとき、長孔２６の中心に位置するよう設定されている。
一方の鋼板２２は、他の鋼板２２に対して円孔２４、２５を貫通するボルト等の固定具を中心として±５度程度回動し得るから、鋼管パイプ３ａ、３ｃ同士の交角が多少変化しても、鋼板２２を相互に回動することにより微調整可能である。
【００１６】
次いで肩部における十字接手３１について、図６を参照して説明する。
図６（ａ）は正面図、図６（ｂ）は平面図、図６（ｃ）は側面図である。
この肩部における十字接手３１は、前記アーチ材２、３の肩部及び裾部において、桁材６または裾材７と該アーチ材とを、アーチ材がやや傾斜した十字状に接合する接手である。肩部における十字接手と裾部における接手とは構造が同一であるので、以下、肩部における十字接手について説明する。
十字接手３１は、短冊状の鋼板を折曲加工して形成されるもので、水平方向に伸びる桁材６または裾材７を収容する半円形湾曲板３２と、その側板３５に形成された開口部３３に挿通され、アーチ材２または端部アーチ材を収容するＵ字状係合片３４と、半円形湾曲板３２の側板下端に形成された内方折曲片３７と鋼管パイプの間隙に打ち込まれる楔片３８とから構成されている。
半円形湾曲板３２に形成された開口部３３の幅は、上記Ｕ字状係合片３４の幅より大きくされて、開口部３３の上縁には、Ｕ字状係合片３４の端縁を直交方向と±１０度の範囲で回動して、任意の角度で受け入れる係合凹部３９が刻設されている。
また、Ｕ字状係合片３４の上縁部には、桁材等６（７）を受け入れる円弧状凹部４０が設けられている。
桁材６と裾材７は、この肩部接手３１と同様の構造の裾部接手により、上記アーチ材２、３に固定される。
【００１７】
以上の説明から明らかなように、この実施例の簡易建物の骨組み構造によれば、棟部において、４本の鋼管パイプをＸ字接続管１６にて一体化して骨組みユニット３を構成し、この骨組みユニット３を湾曲板１３と取付板１４にて棟木５に固定し、棟木５と桁材６の中間部位において、Ｘ字接手２１にて隣り合う骨組みユニットのアーチ材同士を接合して、肩部において１つ置きに隣り合う骨組みユニット３のアーチ材同士を近接させて桁材６と接合して、屋根面を構成している。
屋根面の棟木５と桁材６の間では、棟木５を上弦材とし桁材６を下弦材とするトラスが二重に配置された構造となっており、強度的に優れた架構を構築することができる。
【図面の簡単な説明】
【００１８】
【図１】簡易建物の骨組み構造の斜視図である。
【図２】簡易建物の骨組み構造の側面図である。
【図３】骨組み構造の１単位の骨組みユニットの斜視図である。
【図４】（ａ）は本発明に係る３層交差管接手の全体斜視図、（ｂ）は棟木固定部の正面図、（ｃ）は同側面図である。
【図５】アーチ材同士をＸ字状に接合するＸ字接手を示す図である。
【図６】水平の桁材と垂直からやや傾いたアーチ材を接合する十字接手を示す図である。
【図７】従来例１の簡易建物の骨組み構造を示す図面である。
【図８】従来例２の簡易建物の骨組み構造を示す図面である。
【符号の説明】
【００１９】
１    簡易建物の骨組み構造
２    端部アーチ材
３    アーチ材
４    タイバー
５    棟木材
６    桁材
７    裾材
９    谷樋
１１    ３層交差管接手
１２    棟木固定部
１５    固定具
１６    Ｘ字接続管
２１    Ｘ字接手
２２    鋼板
２３    鋼板
３１    十字接手
３２    半円形湾曲板
３４    Ｕ字状係合片
３８    楔片
【図１】
0004831745.tif 000002
【図２】
0004831745.tif 000003
【図３】
0004831745.tif 000004
【図４】
0004831745.tif 000005
【図５】
0004831745.tif 000006
【図６】
0004831745.tif 000007
【図７】
0004831745.tif 000008
【図８】
0004831745.tif 000009